(57)【要約】　　　（修正有）【課題】心線収納部材を、確実に、心線収納部材の所望の引き出し位置に停止させ、誤って、心線収納部材が、所望の引き出し位置を越えて引き出されるようなことを防止する光心線収納装置を提供する。【解決手段】心線収納部材Ｕ１と該心線収納部材が引き出し可能に載置された台座部材Ｕ２とからなる光心線収納装置Ｕにおいて、前記心線収納部材に、操作ロッド部材Ｃ及び該操作ロッド部材により操作されるストッパー部材Ｓを配設するとともに、前記台座部材に、前記ストッパー部材と当接する制御カム部材Ｄを配設したものである。【選択図】図４
2004053721.tif 000002
【特許請求の範囲】
【請求項１】
心線収納部材と該心線収納部材が引き出し可能に載置された台座部材とからなる光心線収納装置において、前記心線収納部材には、操作ロッド部材及び該操作ロッド部材により操作されるストッパー部材を配設するとともに、前記台座部材には、前記ストッパー部材と当接する制御カム部材が配設されていることを特徴とする光心線収納装置。
【発明の詳細な説明】
【０００１】
【発明の属する技術分野】
本発明は、光心線の余長部や接続部を収納する光心線収納装置に関するものである。
【０００２】
【従来の技術】
光心線の増設や配線替え等を行うために、光心線に余長部を設け、この余長部や接続個所等を整理収納するために、従来より、光心線収納装置が用いられている。従来の光心線収納装置は、浅い箱状のトレーを有しており、このトレーに光心線の導出入口を左右の側部に設けて、導出入された光心線の融着接続部や光コネクタ接続部、更には、余長部を収納し、配線替え等を必要とする作業時に、作業空間を確保するために、トレーを前方に引き出して作業を行っていた。
【０００３】
【発明が解決しようとする課題】
上述した従来の光心線収納装置においては、光心線の配線替え等の作業を行うために、トレーを引き出すことになるが、光心線の接続替え等の作業においては、光コネクタで処理できるように構成されており、光心線の融着接続部分は、作業を一度行うと、光コネクタ接続部分に比較して、はるかに作業頻度は少ない。作業頻度の少ない融着接続部分が作業対象でない場合には、光心線にストレスを与えることによる光損失等の損失を増大させないために、出来るだけ、融着接続部分に触れる機会を少なくすることが好ましいが、従来の光心線収納装置においては、融着接続部分が作業対象でない場合にも、作業の度に、トレーに収納された融着接続部分が引き出されることになり、従って、光心線にストレスを与える機会が多かった。
【０００４】
本発明の目的は、上述した従来の光心線収納装置が有する課題を解決するとともに、光心線の高度な整理整頓を行うことができる光心線収納装置を提供することにある。
【０００５】
【課題を解決するための手段】
本発明は、上述した目的を達成するために、心線収納部材と該心線収納部材が引き出し可能に載置された台座部材とからなる光心線収納装置において、前記心線収納部材に、操作ロッド部材及び該操作ロッド部材により操作されるストッパー部材を配設するとともに、前記台座部材に、前記ストッパー部材と当接する制御カム部材を配設したものである。
【０００６】
【実施例】
以下に、本発明の実施例について説明するが、本発明の趣旨を越えない限り何ら、本実施例に限定されるものではない。
【０００７】
本発明の光心線収納装置は、図１及び図２に示されているように、心線収納部材Ｕ１と、心線収納部材Ｕ１が引き出し可能に載置される台座部材Ｕ２とからなる光心線収納ユニットＵが、多段に配置された構成を有している。台座部材Ｕ２は、上下方向に、心線収納部材Ｕ１が挿入可能な間隙を置いて、適当数、配設されており、多段に配設された光心線収納ユニットＵからなる光心線収納装置は、適宜、前面に扉を有するハウジングボックスＨ内に収容されている。なお、Ｕ１’は、心線収納部材Ｕ１のカバーである。
【０００８】
次に、主として、図３〜７を用いて、心線収納部材Ｕ１について説明する。
【０００９】
心線収納部材Ｕ１は、底部１と、底部１の相対する長辺側に形成された長壁部２と、底部１の相対する短辺側に形成された短壁部３とを有しており、底部１と相対する長壁部２と相対する短壁部３により、窪み状の心線収容部４が形成されている。相対する短壁部３のうち、一方の短壁部３には、切り欠き凹部３ａが形成されており、切り欠き凹部３ａの上端には、心線収容部４に対して外側に略平行に延在する光コード受け台５が配設されており、光コード受け台５には、所定に間隔で所定数形成されたリブからなる光コード把持部５ａが形成されている。６は、底部１に、所定の間隔で所定数形成されたリブからなる光コードや融着接続部分の把持部であり、７は、長壁部２や短壁部３の内壁面から水平方向に延在する、光コードや余長部を構成する光心線の上方への移動を規制する水平規制片である。
【００１０】
相対する長壁部２のうち、一方の長壁部２には、コネクタ接続収納部８が形成されており、コネクタ接続収納部８には複数のコネクタ８ａが挿着されている。９は、コネクタ接続収納部８が形成されている長壁部２の端部に取着された板状の固定載置部材であり、１０は、コネクタ接続収納部８が形成されている長壁部２の端部に取着されているとともに、固定載置部材９に部分的に載置されている固定ガイド部材であり、固定ガイド部材１０の先端部には、光心線を案内するアール部１０ａが形成されている。
【００１１】
固定ガイド部材１０と固定載置部材９の先端に形成された垂直な前板９ａとの間には、固定載置部材９に取着された光心線押え部材１１が配設されている。光心線押え部材１１は、略Ｕ字状の基部１１ａと、基部１１ａの一方の垂直壁の上端に適当なヒンジを介して取着された押え板１１ｂとから構成されており、基部１１ａの水平部上面及び押え板１１ｂの裏面には、基部１１ａと押え板１１ｂとにより光心線を挟持した際に、光心線の損傷を防止するために、スポンジが貼着されている。
【００１２】
１２は、板状の可動載置部であり、可動載置部材１２のコネクタ接続収納部８側に位置する辺部と、コネクタ接続収納部８が配設されている長壁部２の下端部とは、公知のヒンジ部材によりヒンジ連結されており、可動載置部１２は、図１３に示されているような水平位置と、図１５に示されているような水平位置からヒンジ部材を中心に下方に回動した垂下位置とをとることができるように構成されている。１２ａは、可動載置部材１２の前縁に立設された前壁であり、必要に応じて、ラベル等を貼着することができるように構成されている。
【００１３】
上述した固定載置部材９と反対側に位置する長壁部２には、図４に示されているように、後述する操作ロッド部材Ｃを収納するとともに案内する収納部材１３が取着されている。収納部材１３は、天部１３ａと天部１３ａの長辺から垂下された相対する側壁１３ｂとを有しており、収納部材１３を構成する天部１３ａの短辺側が、長壁部２の端部に取着されている。収納部材１３が取着された長壁部２には窓部２ａが穿設されている。
【００１４】
また、図４〜図６に示されているように、上記の長壁部２を構成する天部２ｂの裏面及び底部１の裏面からは、一対のガイド板１４ａ、１４ｂが垂設されており、一対のガイド板１４ａ、１４ｂは、収納部材１３を構成する相対する側壁１３ｂのうち、内側、即ち、コネクタ接続収納部８側に位置する側壁１３ｂと、略面一になるように構成されているとともに、一対のガイド板１４ａ、１４ｂ間には、間隙１５が形成されている。更に、上記の長壁部２の天部２ｂの裏面及び底部１の裏面からは、上記の間隙１５を挟むように、螺子孔が形成された円筒体１６が、一対、垂設されている。なお、１３ｃは、収納部材１３の相対する側壁１３ｂのうち、外側に位置する側壁１３ｂの内壁面の中程に突設された係止リブである。
【００１５】
長壁部２に穿設された窓部２ａ側に位置する円筒体１６には、上述した一対のガイド板１４ａ、１４ｂのうち、上記の窓部２ａ側に位置するガイド板１４ｂ方向に延在するバネ当接部材１７が形成されており、バネ当接部材１７の先端からは、ガイド板１４ｂに沿って略平行に延在する板状のガイド部１７ａが形成されている。１８は、上述した一対のガイド板１４ａ、１４ｂ間に形成された間隙１５に対応して、短壁部３の内壁面から短壁部３に略垂直に、それぞれ、ガイド板１４ａ、１４ｂ方向に延在しているストッパー部材枢支ブロックであり、ストッパー部材枢支ブロック１８の上端には、半円形状の軸受け凹部１８ａが形成されている。また、一対のストッパー部材枢支ブロック１８間に位置する短壁部３には、後述するストッパー部材Ｓが挿入可能な窓部３ｂが形成されている。
【００１６】
Ｓは、ストッパー部材であり、ストッパー部材Ｓは、板状のストッパー部ｓ１と、ストッパー部ｓ１の端部に形成された枢支ピンｓ２と、枢支ピンｓ２を介して、ストッパー部ｓ１と反対方向に延在する板状の垂直バネ支持部ｓ３とから構成されており、垂直バネ支持部ｓ３には、後述するストッパー部材付勢コイルスプリングＢ１の一端が挿入可能な筒部ｓ３ａが垂設されている。
【００１７】
１９は、ストッパー部材付勢コイルスプリングＢ１等の保持フレームであり、保持フレーム１９は、その両端に透孔１９ａ１が穿設された板状の基部１９ａを有しており、基部１９ａの略中央部からは垂直部１９ｂが垂下されており、垂直部１９ｂの下端からは、水平方向に、ストッパー部材付勢コイルスプリングＢ１の当接フレーム１９ｃが延在している。また、基部１９ａの一方の短辺１９ａ２から上方に延在する垂直部１９ｄが立設されており、垂直部１９ｄの上端からは、基部１９ａと反対方向に水平に延在するガイド部１９ｅが形成されている。
【００１８】
次に、図４を用いて、ストッパー部材枢支ブロック１８の上端に形成された半円形状の軸受け凹部１８ａに挿入されているストッパー部材Ｓ２の枢支ピンｓ２を中心に、上述したストッパー部材Ｓを回動させる操作ロッド部材Ｃについて説明する。
【００１９】
操作ロッド部材Ｃは、略角柱状の主ロッド部ｃ１を有しており、その一方の端部には、主ロッド部ｃ１より厚さより薄い細長の板状部ｃ２が、その上面が、主ロッド部ｃ１の上面と面一になるように延設されている。板状部ｃ２の主ロッド部ｃ１側部分は、主ロッド部ｃ１の幅と同じ幅を有する幅広部ｃ２ａに形成されており、板状部ｃ２の幅広部ｃ２ａから先端までは、主ロッド部ｃ１の幅より狭い幅狭部ｃ２ｂとして形成されている。幅広部ｃ２ａと幅狭部ｃ２ｂの一方の垂直面は面一に形成されており、幅広部ｃ２ａのもう一方の垂直面と幅狭部ｃ２ｂのもう一方の垂直面との境部には、段差部ｃ３が形成されている。段差部ｃ３がが形成されてない側の板状部ｃ２の裏面には、主ロッド部ｃ１の先端面ｃ１ａから、板状部ｃ２の先端方向に延在するリブ状のストッパー操作カムｃ４が垂設されており、ストッパー操作カムｃ４は、下面が水平な主カム部ｃ４ａと主カム部ｃ４ａの先端部から上方に傾斜した傾斜部ｃ４ｂとから形成されている。ｃ５は、主カム部ｃ４ａの先端部付近に形成された、主カム部ｃ４ａと直交する係止リブである。また、段差部ｃ３側に位置する幅広部ｃ２ａの裏面には、リブ状のストッパー操作カムｃ４に沿って主ロッド部ｃ１の先端面ｃ１ａまで延在する垂直壁ｃ６が垂設されている。そして、板状部ｃ２とストッパー操作カムｃ４と係止リブｃ５と垂直壁ｃ６とにより、板状部ｃ２の裏面には、後述する操作ロッド部材Ｃ用の復帰コイルスプリングＢ２が収容される凹部Ａ１が形成されている。更に、段差部ｃ３側に位置する主ロッド部ｃ１の中程には、上下方向に延在する凹部ｃ１ｂが形成されている。凹部ｃ１ｂ内には、主ロッド部ｃ１から板状部ｃ２方向に延在するとともに、先細り状の楔状係止部ｃ７ａが形成された弾性舌片ｃ７が形成されている。なお、ｃ８は、板状部ｃ２と反対側の主ロッド部ｃ１の端部に形成されたブロック状のプッシュ部である。なお、操作ロッド部材Ｃは、合成樹脂で、一体に成形されることが好ましい。
【００２０】
次に、主として、図４を用いて、上述した操作ロッド部材Ｃやストッパー部材Ｓ等の心線収納部材Ｕ１への取り付けについて説明する。
【００２１】
一対のガイド板１４ａ、１４ｂ間に位置する間隙１５に、ストッパー部材Ｓの垂直バネ支持部ｓ３の先端部を挿入するとともに、一対のストッパー部材枢支ブロック１８間に位置する短壁部３に穿設された窓部３ｂに、ストッパー部材Ｓのストッパー部ｓ１が挿入されるように、更に、ストッパー部材枢支ブロック１８の上端に形成された半円形状の軸受け凹部１８ａに、ストッパー部材Ｓの枢支ピンｓ２が挿入されるように、ストッパー部材Ｓを配置する。次いで、垂直バネ支持部ｓ３に垂設された筒部ｓ３ａに、ストッパー部材付勢コイルスプリングＢ１の上端部を挿入する。その後、保持フレーム１９の当接フレーム１９ｃが、ストッパー部材付勢コイルスプリングＢ１の下端に当接するように、保持フレーム１９を配置するとともに、ボルト２０を、保持フレーム１９の基部１９ａに穿設された透孔１９ａ１に挿通し、ボルト２０を、底部１の裏面に垂設された螺子孔が形成された円筒体１６に螺合させることにより、心線収納部材Ｕ１に、ストッパー部材Ｓやストッパー部材付勢コイルスプリングＢ１や保持フレーム１９を取り付ける。そして、ストッパー部材Ｓと保持フレーム１９とにより、圧縮状態で挟持されているストッパー部材付勢コイルスプリングＢ１の付勢力により、短壁部３に穿設された窓部３ｂから突出しているストッパー部材Ｓのストッパー部ｓ１は、ストッパー部材枢支ブロック１８の軸受け凹部１８ａに挿入されている枢支ピンｓ２を中心に、下方に回動するように付勢されている。
【００２２】
操作ロッド部材Ｃを、収納部材１３内に配置するとともに、操作ロッド部材Ｃの細長の板状部ｃ２を、長壁部２の窓部２ａに挿入する。操作ロッド部材Ｃの細長の板状部ｃ２は、ストッパー部材Ｓの垂直バネ支持部ｓ３の上方に位置するように配置され、また、板状部ｃ２とストッパー操作カムｃ４と係止リブｃ５と垂直壁ｃ６とにより板状部ｃ２の裏面に形成された凹部Ａ１に、操作ロッド部材Ｃ用の復帰コイルスプリングＢ２を収容する。凹部Ａ１に収容された復帰コイルスプリングＢ２は、その先端部が、板状部ｃ２の幅狭部ｃ２ｂからはみ出しており、復帰コイルスプリングＢ２の先端のはみ出した部分が、長壁部２に穿設された窓部２ａ側に位置する円筒体１６に連接されたバネ当接部材１７に当接するように構成されている。また、操作ロッド部材Ｃの弾性舌片ｃ７に形成された楔状係止部ｃ７ａが、相対する側壁１３ｂのうち、外側に位置する側壁１３ｂの内壁面の中程に突設された係止リブ１３ｃに係合されるように構成されている。なお、操作ロッド部材Ｃは、収納部材１３に案内されるとともに、ガイド板１４ａ、１４ｂとバネ当接部材１７のガイド部１７ａ間に挿入されて、ガイド板１４ａ、１４ｂとバネ当接部材１７により案内されるように構成されているので、操作ロッド部材Ｃが横振れ等して、操作ロッド部材Ｃによるストッパー部材Ｓの操作に誤動作を惹起するようなことが防止できる。
【００２３】
上述したようにして、心線収納部材Ｕ１に、ストッパー部材Ｓやストッパー部材付勢コイルスプリングＢ１や保持フレーム１９や復帰コイルスプリングＢ２や操作ロッド部材Ｃ等を取り付けた後に、底部１に、ボルト等の適当な固着具により、裏蓋Ｒを取り付ける。このようにして、心線収納部材Ｕ１の組立が終了する。コネクタ接続収納部８が配設されていない長壁部２付近に位置する裏蓋Ｒには、長壁部２に沿って、所定の間隔を置いて、弾性係止片２１が形成されている。弾性係止片２１の自由端は、コネクタ接続収納部８が配設されていない長壁部２側に位置しており、弾性係止片２１は、裏蓋Ｒに、略コの字状のスリットｒ１を穿設することにより形成されている。また、弾性係止片２１の自由端部の裏面には、係止凸条２１ａが形成されている。なお、２２は、短壁部３の下端部に、短壁部３に沿って形成されて凸条部である。
【００２４】
次に、図８を用いて、台座部材Ｕ２について説明する。
【００２５】
台座部材Ｕ２は、心線収納部材Ｕ１を引出し可能に収容するものであり、ハウジングボックスＨ内に、所定の間隔をおいて、上下方向に、複数、取着されている。
【００２６】
台座部材Ｕ２は、板状の基板３０と、基板３０の短辺に形成された短辺側側壁３１とを有している。また、短辺側側壁３１に沿って、厚肉板３２が取着されており、厚肉板３２の先端部に形成された薄肉部３２ａと基板３０との間には、ガイド溝３３が形成されており、ガイド溝３３には、心線収納部材Ｕ１の短壁部３の下端部に形成された凸条部２２が挿入されるように構成されている。
【００２７】
基板３０に相対して取着された厚肉板３２の一方の厚肉板３２の上面には、心線収納部材Ｕ１の台座部材Ｕ２からの引き出し量を制御するための制御カム部材Ｄが、短辺側側壁３１に沿って形成されている。制御カム部材Ｄは、心線収納部材Ｕ１が挿入される側の基板３０の長辺（前方長辺と称する。）３０ａに対して遠い側に形成された第１ストッパーカム部３４と、第１ストッパーカム部３４に対して、前方長辺３０ａ側に位置する一対のストッパーカム３５ａ、３５ｂとからなる第２ストッパーカム部３５とを有している。
【００２８】
第１ストッパーカム部３４は、短辺側側壁３１に略直交する垂直板部３４ａと、垂直板部３４ａから、短辺側側壁３１に平行で且つ前方長辺３０ａ方向に延在するガイド板部３４ｂとを有しており、ガイド板部３４ｂには、前方長辺３０ａ方向に向かって下方に傾斜した傾斜面３４ｂ１が形成されている。
【００２９】
第２ストッパーカム部３５を構成する、第１ストッパーカム部３４側のストッパーカム（後方ストッパーカムと称する。）３５ａは、第１ストッパーカム部３４の傾斜３４ｂ１側に位置する、基板３０の前方長辺３０ａに向かって上方に傾斜した傾斜面３５ａ１’が形成されているとともに、短辺側側壁３１に平行に延在するガイド板部３５ａ１と、ガイド板部３５ａ１の前方長辺３０ａ側に形成された、短辺側側壁３１に略直交する垂直板部３５ａ２とを有している。また、第２ストッパーカム部３５を構成する、基板３０の前方長辺３０ａ側のストッパーカム（前方ストッパーカムと称する。）３５ｂは、短辺側側壁３１に略直交する垂直板部３５ｂ１と、垂直板部３５ｂ１から前方長辺３０ａに向かって下方に傾斜した傾斜面３５ｂ２’が形成されているとともに、短辺側側壁３１に平行に延在するガイド板部３５ｂ２とを有している。そして、互いに対向するように配置された後方ストッパーカム３５ａの垂直板部３５ａ２と前方ストッパーカム３５ｂの垂直板部３５ｂ１との間には、短壁部３に穿設された窓部３ｂから突出しているストッパー部材Ｓのストッパー部ｓ１が挿入可能な間隙Ｄ１が形成されている。
【００３０】
３６は、台座部材Ｕ２の板状の基板３０の前方長辺３０ａ付近に穿設された一対の嵌合孔であり、この嵌合孔３６には、上述した心線収納部材Ｕ１に配設された裏蓋Ｒに形成された弾性係止片２１の係止凸条２１ａが嵌合されるように構成されている。
【００３１】
なお、３７は、第１ストッパーカム部３４と第２ストッパーカム部３５との間に位置する厚肉板３２の上面に形成された規制ブロックであり、規制ブロック３７は、厚肉板３２の上面に立設された柱部３７ａと、柱部３７ａの先端から内側に延在する水平部３７ｂとから構成されている。
【００３２】
図２や図３等に示されているように、多数の光心線ｋが外被により被覆された状態の光コードＫは、光コード導入部としての光コード受け台５に配設された光コード把持部５ａにより把持された後、心線収容部４内に導入される。心線収容部４に導入された光コードＫを構成する多数の光心線ｋは、余長部が形成された後、コネクタ接続収納部８の心線収容部４側に配設されているコネクタに接続される。コネクタ接続収納部８に接続された光心線ｋは、コネクタ接続収納部８の可動載置部材１２側に配設されているコネクタ８ａを介して、コネクタ接続収納部８から引き出されるとともに、水平状態の可動載置部材１２に載置され、その後、光心線押え部材１１の基部１１ａと押え板１１ｂとにより挟持され、更に、固定ガイド部材１０のアール部１０ａに沿って案内され、且つ、固定載置部材９に載置されながら、ハウジングボックスＨから外に引き出されることになる。
【００３３】
次に、主として、図９〜図１６を用いて、ハウジングボックスＨ内に取着された台座部材Ｕ２からの心線収納部材Ｕ１の引き出し工程について説明する。
【００３４】
図９及び図１０には、心線収納部材Ｕ１が、台座部材Ｕ２に完全に収容された状態、即ち、心線収納部材Ｕ１が、台座部材Ｕ２から引き出されていない通常の状態が示されている。この状態においては、心線収納部材Ｕ１の後端部に位置する、コネクタ接続収納部８が配設されていない長壁部２が、台座部材Ｕ２の基板３０の前方長辺３０ａと相対する後方長辺３０ｂ付近に位置しており、また、心線収納部材Ｕ１を構成する固定載置部材９や可動載置部材１２が、台座部材Ｕ２の基板３０の前方長辺３０ａ付近に位置している。また、この状態においては、短壁部３に形成された窓部３ｂから突出しているとともに、ストッパー部材付勢コイルスプリングＢ１の付勢力により、下方に回動するように付勢されているストッパー部材Ｓのストッパー部ｓ１は、台座部材Ｕ２に配設されている制御カム部材Ｄを構成する第１ストッパーカム部３４の垂直板部３４ａに当接、或いは、垂直板部３４ａ付近に位置している。更に、この状態においては、操作ロッド部材Ｃの凹部Ａ１に収容された復帰コイルスプリングＢ２の付勢力により、操作ロッド部材Ｃは、台座部材Ｕ２の基板３０の前方長辺３０ａ方向、換言すれば、収納部材１３から排出される方向に付勢されているとともに、操作ロッド部材Ｃに形成された弾性舌片ｃ７の楔状係止部ｃ７ａが、収納部材１３の側壁１３ｂの内壁面に突設された係止リブ１３ｃに係止されており、従って、操作ロッド部材Ｃが、収納部材１３から抜け出ないように構成されている。
【００３５】
この状態から、心線収納部材Ｕ１を引き出すには、図１１に示されているように、操作ロッド部材Ｃを、操作ロッド部材Ｃの凹部Ａ１に収容された復帰コイルスプリングＢ２の付勢力に抗して押すと、ストッパー部材Ｓの垂直バネ支持部ｓ３の上方に位置する、操作ロッド部材Ｃの板状部ｃ２の裏面に形成されたストッパー操作カムｃ４の傾斜部ｃ４ｂ或いは主カム部ｃ４ａが、ストッパー部材Ｓの垂直バネ支持部ｓ３を、ストッパー部材付勢コイルスプリングＢ１の付勢力に抗して、枢支ピンｓ２を中心に、下方に回動させることになる。ストッパー部材Ｓの垂直バネ支持部ｓ３が下動すると、枢支ピンｓ２を介して、垂直バネ支持部ｓ３と反対側に位置するストッパー部ｓ１が、枢支ピンｓ２を中心に上方に回動し、台座部材Ｕ２に配設されている制御カム部材Ｄを構成する第１ストッパーカム部３４の垂直板部３４ａより上方に位置し、心線収納部材Ｕ１を引き出す際に、ストッパー部材Ｓのストッパー部ｓ１が、第１ストッパーカム部３４の垂直板部３４ａに当接し、心線収納部材Ｕ１の引き出し作業が阻止されることがないように構成されている。
【００３６】
上述したように、操作ロッド部材Ｃを押して、ストッパー部材Ｓのストッパー部ｓ１を、台座部材Ｕ２に配設されている制御カム部材Ｄを構成する第１ストッパーカム部３４の垂直板部３４ａの上方に位置させた時点で、心線収納部材Ｕ１を引き出すが、心線収納部材Ｕ１の引き出しを開始した後は、操作ロッド部材Ｃを押しておく必要はない。このような心線収納部材Ｕ１の引き出し作業中においては、図１２に示されているように、ストッパー部材Ｓのストッパー部ｓ１は、台座部材Ｕ２に配設されている制御カム部材Ｄを構成する第１ストッパーカム部３４のガイド板部３４ｂに載置され、その後、傾斜面３４ｂ１を経て、基板３０の短辺側側壁３１に沿って取着された厚肉板３２の上面に載置され、更に、心線収納部材Ｕ１の引き出し作業により、ストッパー部材Ｓのストッパー部ｓ１は、第２ストッパーカム部３５を構成する後方ストッパーカム３５ａの傾斜面３５ａ１’が形成されているガイド板部３５ａ１を乗り越え、その後、ストッパー部材付勢コイルスプリングＢ１の付勢力により下動するように付勢されているストッパー部材Ｓのストッパー部ｓ１は、図１３及び図１４に示されているように、後方ストッパーカム３５ａの垂直板部３５ａ２と前方ストッパーカム３５ｂの垂直板部３５ｂ１との間に形成されている間隙Ｄ１に挿入され、心線収納部材Ｕ１の引き出しが停止することになる。このように、ストッパー部材Ｓのストッパー部ｓ１が、第２ストッパーカム部３５を構成する後方ストッパーカム３５ａの垂直板部３５ａ２と前方ストッパーカム３５ｂの垂直板部３５ｂ１との間に形成されている間隙Ｄ１に挿入された状態を、心線収納部材Ｕ１の中間引き出し位置と称する。
【００３７】
上述したように、操作ロッド部材Ｃを押して、一旦、心線収納部材Ｕ１を引き出した後は、操作ロッド部材Ｃから手を離して、操作ロッド部材Ｃを、復帰コイルスプリングＢ２の付勢力により元に位置に復帰させて、心線収納部材Ｕ１の引き出し作業を続行するだけの作業により、心線収納部材Ｕ１を、確実に、心線収納部材Ｕ１の中間引き出し位置に停止させることができ、従って、誤って、心線収納部材Ｕ１が、中間引き出し位置を越えて引き出されるようなことを防止することができる。
【００３８】
上述した心線収納部材Ｕ１の中間引き出し位置においては、可動載置部１２の下方には、台座部材Ｕ２が位置しておらず、従って、可動載置部１２は、図１３に示されている水平状態から、図１５に示されているように、略垂直に垂下可能なように構成されている。このように、可動載置部１２が、略垂直に垂下できるように構成されているので、可動載置部１２が、コネクタ接続収納部８へのコネクタ８ａの接続作業の邪魔になるようなことがない。
【００３９】
また、心線収容部４に収容された光心線の配線替え等の作業を行う場合には、上述した中間引き出し位置において、再度、操作ロッド部材Ｃを押して、上述したように、ストッパー部材Ｓのストッパー部ｓ１を、ストッパー部材付勢コイルスプリングＢ１の付勢力に抗して、枢支ピンｓ２を中心に、上方に回動させて、第２ストッパーカム部３５を構成する後方ストッパーカム３５ａの垂直板部３５ａ２と前方ストッパーカム３５ｂの垂直板部３５ｂ１との間に形成されている間隙Ｄ１から排出させる。その後、心線収納部材Ｕ１を引き出すが、この引き出し作業の途中において、心線収納部材Ｕ１に取着された裏蓋Ｒに形成された弾性係止片２１の自由端部の裏面に突設された係止凸条２１ａが、台座部材Ｕ２の板状の基板３０の前方長辺３０ａ付近に穿設された一対の嵌合孔３６に嵌合し、心線収納部材Ｕ１のそれ以上の引き出しが阻止されるように構成されている。この状態を、心線収納部材Ｕ１の最終引き出し位置と称する。
【００４０】
上述した心線収納部材Ｕ１の最終引き出し位置においては、図１６に示されているように、心線収容部４が、台座部材Ｕ２から排出されており、この状態で、心線収納部材Ｕ１のカバーＵ１’を取り外して、心線収容部４内に収容された光心線ｋの配線替え等の作業を行う。
【００４１】
【発明の効果】
本発明は、以上説明したような構成を有しているので、以下に記載の効果を奏することができる。
【００４２】
心線収納部材を、確実に、心線収納部材の所望の引き出し位置に停止させることができ、従って、誤って、心線収納部材が、所望の引き出し位置を越えて引き出されるようなことを防止することができる。
【００４３】
また、不用意に、必要以上の心線収納部材の引き出しが防止できるので、光心線の過度の屈曲が防止でき、従って、光心線に不用なストレスが加わるようなことがなく、光心線の光損失等の損失を抑制することができる。
【図面の簡単な説明】
【図１】図１は本発明の光心線収納装置の全体斜視図である。
【図２】図２は本発明の光心線収納装置の分解斜視図である。
【図３】図３は本発明の光心線収納装置を構成する心線収納部材の斜視図である。
【図４】図４は本発明の光心線収納装置を構成する心線収納部材の部分分解斜視図である。
【図５】図５は本発明の光心線収納装置を構成する心線収納部材の部分拡大分解斜視図である。
【図６】図６は本発明の光心線収納装置を構成する心線収納部材の部分拡大斜視図である。
【図７】図７は本発明の光心線収納装置を構成する一部切り欠き部を含む心線収納部材の裏面斜視図である。
【図８】図８は本発明の光心線収納装置を構成する台座部材の斜視図である。
【図９】図９は本発明の光心線収納装置の斜視図である。
【図１０】図１０は図９に示されている光心線収納装置の一部切り欠き部を含む部分平面図である。
【図１１】図１１は本発明の光心線収納装置の斜視図である。
【図１２】図１２は光心線収納装置の一部切り欠き部を含む側面図である。
【図１３】図１３は心線収納部材が中間まで引き出された状態の光心線収納装置の斜視図である。
【図１４】図１４は図１３に示されている光心線収納装置の一部切り欠き部を含む側面図である。
【図１５】図１５は心線収納部材が中間まで引き出された状態の光心線収納装置の斜視図である。
【図１６】図１６は心線収納部材が最終まで引き出された状態の光心線収納装置の平面図である。
【符号の説明】
Ｃ・・・・・・・・操作ロッド部材
Ｄ・・・・・・・・制御カム部材
Ｓ・・・・・・・・ストッパー部材
Ｕ１・・・・・・・心線収納部材
Ｕ２・・・・・・・台座部材
４・・・・・・・・心線収納部
３４・・・・・・・第１ストッパーカム部
３５・・・・・・・第２ストッパーカム部
【図１】
2004053721.tif 000003
【図２】
2004053721.tif 000004
【図３】
2004053721.tif 000005
【図４】
2004053721.tif 000006
【図５】
2004053721.tif 000007
【図６】
2004053721.tif 000008
【図７】
2004053721.tif 000009
【図８】
2004053721.tif 000010
【図９】
2004053721.tif 000011
【図１０】
2004053721.tif 000012
【図１１】
2004053721.tif 000013
【図１２】
2004053721.tif 000014
【図１３】
2004053721.tif 000015
【図１４】
2004053721.tif 000016
【図１５】
2004053721.tif 000017
【図１６】
2004053721.tif 000018